(57)【要約】      （修正有）【課題】自動車パネルに自動車用ガーニッシュ（装飾部品）を固定するためのブラケットに関し、台座に対し、取付部材の組み付け方向を変えることにより、取付部材の高さを所望の複数の高さ位置に、容易に取り付けることができるようにしたものである。【解決手段】ブラケット10は、台座20と、取付部材30とを備える。台座20は、自動車用ガーニッシュ12と一体若しくは固着されるベース部50を有するものである。取付部材30は、ファスナー40を介して自動車パネル11に固定される固定部、固定部から軸状に延び、台座20に嵌合する軸部、軸部をはさんで固定部と反対側に位置し、複数の方向から台座20に対し嵌合可能であり、当該嵌合する方向を変更することにより、軸部の軸方向の異なる複数位置に係止可能な係止部を有するものである。【選択図】図２
2012127394.tif 000002
【特許請求の範囲】
【請求項１】
自動車用ガーニッシュと一体若しくは固着されるベース部を有する台座と、
ファスナーを介して自動車パネルに固定される固定部、前記固定部から軸状に延び、前記台座に嵌合する軸部、前記軸部をはさんで前記固定部と反対側に位置し、複数の方向から前記台座に対し嵌合可能であり、当該嵌合する方向を変更することにより、前記軸部の軸方向の異なる複数の高さ位置に係止可能な係止部を有する取付部材とを備えていることを特徴とするブラケット。
【請求項２】
前記係止部と前記台座との両対向面のどちらか一方には、
他方に向かって突出した凸部を形成し、
他方には、
前記凸部にはまり合う凹部を形成し、
前記凸部と前記凹部とは、
前記軸部の軸方向の高さを略一致させていることを特徴とする請求項１に記載のブラケット。
【請求項３】
前記凸部は、
前記係止部と前記台座との両対向面のどちらか一方に複数個形成され、
前記複数個の凸部は、
異なる複数の方向に向かって突出するとともに、
前記軸部の軸方向の高さを互いに異ならせていることを特徴とする請求項２に記載のブラケット。
【請求項４】
前記凹部は、
前記係止部と前記台座との両対向面のどちらか他方に複数個形成され、
前記複数個の凹部は、
前記軸部の軸方向の高さを互いに異ならせていることを特徴とする請求項２又は請求項３に記載のブラケット。
【請求項５】
前記固定部は、
前記ファスナーを装着する装着部が設けられていることを特徴とする請求項１〜４のいずれか１項にに記載のブラケット。
【請求項６】
前記台座には、
前記軸部を受け入れ可能な開口を有する嵌合溝を形成し、
前記開口の幅を、前記軸部の直径より小さく設定し、
前記台座の弾性を利用して前記軸部を前記嵌合溝にはめ込むようにしていることを特徴とする請求項１〜５のいずれか１項に記載のブラケット。
【発明の詳細な説明】
【技術分野】
【０００１】
この発明は、自動車パネルに自動車用ガーニッシュ（装飾部品）を固定するためのブラケットに関し、台座に対し、取付部材の組み付け方向を変えることにより、取付部材の高さを所望の複数の高さ位置に、容易に取り付けることができるようにしたものである。
【背景技術】
【０００２】
従来、内筒であるベース部材と、当該ベース部材に外嵌する外筒であるファスナー部材の内外周面に、互いにはまり合う鋸歯状の凹部と凸部とを複数段設け、ベース部材に対するファスナー部材の高さを段階的に調節することができるようにしたファスナーブラケットが知られている（特許文献１の段落番号「００１６」及び「００１７」、図２及び図６参照）。
【０００３】
また、従来、ガーニッシュに座部を一体に成形し、クリップに組付部を一体に成形し、座部に複数段の凹部を設け、組付部に前記凹部に嵌合する複数段の凸部を設けたクリップが知られている（特許文献１の段落番号「０００９」、「００１４」、「０００１５」、図１及び図４〜図６参照）。
【先行技術文献】
【特許文献】
【０００４】
【特許文献１】実開平6-59612号公報
【特許文献２】特開2004-360752号公報
【発明の概要】
【発明が解決しようとする課題】
【０００５】
しかし、上記した従来の前者のファスナーブラケット（実開平6-59612号公報）では、ベース部材に対するファスナー部材の高さを段階的に調節するようにしていたので、ファスナー部材を所望の高さ位置に停止させるのが困難であるという第１の問題点があった。
また、上記した従来の後者のクリップでは、組付部がクリップに一体に成形されていたので、既存のクリップが使用できず、汎用性に乏しいという第２の問題点があった。
【０００６】
そこで、各請求項にそれぞれ記載された各発明は、上記した従来の技術の有する第１及び第２問題点に鑑みてなされたものであり、その目的とするところは、次の点にある。
（請求項１）
請求項１に記載の発明は、次の点を目的とする。
すなわち、請求項１に記載の発明は、台座に対し、取付部材の組み付け方向を変えることにより、取付部材の高さを所望の複数の高さ位置に、容易に取り付けることができるようにしたものである。
【０００７】
これに加え、請求項１に記載の発明は、ファスナーを介して自動車パネルに取付部材を固定することができるようにしたものである。
このため、請求項１に記載の発明によれば、既存のファスナーを使用できるので、ブラケットの汎用を向上することができる。
（請求項２）
請求項２に記載の発明は、上記した請求項１に記載の発明の目的に加え、次の点を目的とする。
【０００８】
すなわち、請求項２に記載の発明は、凹凸形状により、取付部材の高さを調節することができるようにしたものである。
（請求項３）
請求項３に記載の発明は、上記した請求項２に記載の発明の目的に加え、次の点を目的とする。
【０００９】
すなわち、請求項３に記載の発明は、凸部を複数個形成し、軸部の軸方向の高さを互いに異ならせることで、凸部を利用して、取付部材の高さを調節することができるようにしたものである。
これに加え、請求項３に記載の発明は、異なる高さの凸部を、複数の方向から突出させることで、複数の方向から取付部材を組み付けることができるようにしたものである。
（請求項４）
請求項４に記載の発明は、上記した請求項２に記載の発明の目的に加え、次の点を目的とする。
【００１０】
すなわち、請求項４に記載の発明は、凹部を複数個形成し、軸部の軸方向の高さを互いに異ならせることで、凹部を利用して、取付部材の高さを調節することができるようにしたものである。
（請求項５）
請求項５に記載の発明は、上記した請求項１〜４のいずれか１項に記載の発明の目的に加え、次の点を目的とする。
【００１１】
すなわち、請求項５に記載の発明は、既存のファスナーを、固定部の装着部の装着することができるようにしたものである。
（請求項６）
請求項６に記載の発明は、上記した請求項１〜５のいずれか１項に記載の発明の目的に加え、次の点を目的とする。
【００１２】
すなわち、請求項６に記載の発明は、台座の弾性を利用して、軸部を台座の嵌合溝にはめ込むことができ、又、はめ込んだ後は、開口の幅が軸部の直径より小さくなることで、嵌合溝から軸部の抜けを防止することができるようにしたものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１４】
第１に、ブラケット(10)は、例えば図１〜３に示すように、次の構成を備える。
（１）台座(20)
（２）取付部材(30)
第２に、台座(20)は、例えば図１〜３に示すように、自動車用ガーニッシュ(12)と一体若しくは固着されるベース部(50)を有するものである。
【００１５】
第３に、取付部材(30)は、例えば図１〜３に示すように、ファスナー(40)を介して自動車パネル(11)に固定される固定部(70)、固定部(70)から軸状に延び、台座(20)に嵌合する軸部(80)、軸部(80)をはさんで固定部(70)と反対側に位置し、複数の方向から台座(20)に対し嵌合可能であり、当該嵌合する方向を変更することにより、軸部(80)の軸方向の異なる複数の高さ位置に係止可能な係止部(90)を有するものである。
（請求項２）
請求項２に記載の発明は、上記した請求項１に記載の発明の特徴点に加え、次の点を特徴とする。
【００１６】
第１に、係止部(90)と台座(20)との両対向面のどちらか一方（例えば係止部90）には、例えば図１に示すように、他方（台座20）に向かって突出した凸部(100)を形成する。
第２に、他方（台座20）には、例えば図１に示すように、凸部(100)にはまり合う凹部(120)を形成する。
第３に、凸部(100)と凹部(120)とは、例えば図１に示すように、軸部(80)の軸方向の高さを略一致させている。
（請求項３）
請求項３に記載の発明は、上記した請求項２に記載の発明の特徴点に加え、次の点を特徴とする。
【００１７】
第１に、凸部(100)は、例えば図１に示すように、係止部(90)と台座(20)との両対向面のどちらか一方に複数個形成される。
第２に、複数個の凸部(100)は、例えば図１に示すように、異なる複数の方向に向かって突出するとともに、軸部(80)の軸方向の高さを互いに異ならせている。
（請求項４）
請求項４に記載の発明は、上記した請求項２又は請求項３に記載の発明の特徴点に加え、次の点を特徴とする。
【００１８】
第１に、凹部(120)は、例えば図１に示すように、係止部(90)と台座(20)との両対向面のどちらか他方に複数個形成される。
第２に、複数個の凹部(120)は、例えば図１に示すように、軸部(80)の軸方向の高さを互いに異ならせている。
（請求項５）
請求項５に記載の発明は、上記した請求項１〜４のいずれか１項に記載の発明の特徴点に加え、次の点を特徴とする。
【００１９】
すなわち、固定部(70)は、例えば図２及び図３に示すように、自動車パネル(11)にファスナー(40)を介して固定されるとともに、ファスナー(40)を装着する装着部(71)が設けられている。
（請求項６）
請求項６に記載の発明は、上記した請求項１〜５のいずれか１項に記載の発明の特徴点に加え、次の点を特徴とする。
【００２０】
第１に、台座(20)には、例えば図１に示すように、軸部(80)を受け入れ可能な開口(67)を有する嵌合溝(66)を形成する。
第２に、開口(67)の幅を、軸部(80)の直径より小さく設定し、台座(20)の弾性を利用して軸部(80)を嵌合溝(66)にはめ込むようにしている。
【発明の効果】
【００２１】
本発明は、以上のように構成されているので、以下に記載されるような効果を奏する。
（請求項１）
請求項１に記載の発明によれば、次のような効果を奏する。
すなわち、請求項１に記載の発明によれば、台座に対し、取付部材の組み付け方向を変えることにより、取付部材の高さを所望の複数の高さ位置に、容易に取り付けることができる。
【００２２】
これに加え、請求項１に記載の発明によれば、ファスナーを介して自動車パネルに取付部材を固定することができる。
このため、請求項１に記載の発明によれば、既存のファスナーを使用できるので、ブラケットの汎用を向上することができる。
（請求項２）
請求項２に記載の発明によれば、上記した請求項１に記載の発明の効果に加え、次のような効果を奏する。
【００２３】
すなわち、請求項２に記載の発明によれば、凹凸形状により、取付部材の高さを調節することができる。
（請求項３）
請求項３に記載の発明によれば、上記した請求項２に記載の発明の効果に加え、次のような効果を奏する。
【００２４】
すなわち、請求項３に記載の発明によれば、凸部を複数個形成し、軸部の軸方向の高さを互いに異ならせることで、凸部を利用して、取付部材の高さを調節することができる。
これに加え、請求項３に記載の発明によれば、異なる高さの凸部を、複数の方向から突出させることで、複数の方向から取付部材を組み付けることができる。
（請求項４）
請求項４に記載の発明によれば、上記した請求項２に記載の発明の効果に加え、次のような効果を奏する。
【００２５】
すなわち、請求項４に記載の発明によれば、凹部を複数個形成し、軸部の軸方向の高さを互いに異ならせることで、凹部を利用して、取付部材の高さを調節することができる。
（請求項５）
請求項５に記載の発明によれば、上記した請求項１〜４のいずれか１項に記載の発明の効果に加え、次のような効果を奏する。
【００２６】
すなわち、請求項５に記載の発明によれば、既存のファスナーを、固定部の装着部の装着することができる。
（請求項６）
請求項６に記載の発明によれば、上記した請求項１〜５のいずれか１項に記載の発明の効果に加え、次のような効果を奏する。
【００２７】
すなわち、請求項６に記載の発明によれば、台座の弾性を利用して、軸部を台座の嵌合溝にはめ込むことができ、又、はめ込んだ後は、開口の幅が軸部の直径より小さくなることで、嵌合溝から軸部の抜けを防止することができる。
【図面の簡単な説明】
【００２８】
【図１】ブラケットの分解斜視図である。
【図２】ブラケットの取付状態を示す一部断面図である。
【図３】ブラケット及びファスナーの取付手順を説明するための側面図である。
【図４】台座の斜視図である。
【図５】台座の正面図である。
【図６】台座の平面図である。
【図７】台座の側面図である。
【図８】図５のＡ部の拡大図である。
【図９】図５のＢ−Ｂ線に沿う断面図である。
【図１０】取付部材の斜視図である。
【図１１】取付部材の正面図である。
【図１２】取付部材の平面図である。
【図１３】取付部材の底面図である。
【図１４】図１１のＣ−Ｃ線に沿う断面図である。
【図１５】図１のＡ方向に取付部材をはめ込む際のブラケットの分解平面図である。
【図１６】図１５の取付状態を示すブラケットの正面図である。
【図１７】図１６のＤ−Ｄ線に沿う断面図である。
【図１８】図１のＢ方向に取付部材をはめ込む際のブラケットの分解平面図である。
【図１９】図１８の取付状態を示すブラケットの正面図である。
【図２０】図１９のＥ−Ｅ線に沿う断面図である。
【図２１】図１のＣ方向に取付部材をはめ込む際のブラケットの分解平面図である。
【図２２】図２１の取付状態を示すブラケットの正面図である。
【図２３】図２２のＦ−Ｆ線に沿う断面図である。
【図２４】図１のＤ方向に取付部材をはめ込む際のブラケットの分解平面図である。
【図２５】図２４の取付状態を示すブラケットの正面図である。
【図２６】図２５のＧ−Ｇ線に沿う断面図である。
【発明を実施するための形態】
【００２９】
（ブラケット10）
図１〜３中、10は、ブラケットを示し、このブラケット10は、自動車パネル11に自動車用ガーニッシュ12（装飾部品）を固定するのに使用される。
ブラケット10は、図１に示すように、大別すると、次のパーツから構成されている。
なお、ブラケット10のパーツは、次の（１）及び（２）に限定されない。
【００３０】
（１）台座20
台座20は、図２に示すように、自動車用ガーニッシュ12側に固定される。
（２）取付部材30
取付部材30は、図２及び図３に示すように、ファスナー40を介して自動車パネル11に固定される。台座20と取付部材30とは、互いにはまり合うことで連結され、自動車パネル11に対し、自動車用ガーニッシュ12が固定される。
【００３１】
なお、取付部材30を、ファスナー40を介して自動車パネル11に固定したが、これに限定されず、取付部材30を自動車パネル11に直接固定したり、或いはファスナー40以外のパーツ、例えばネジ等を使用して自動車パネル11に固定しても良い。
（台座20）
台座20は、図１及び図２に示すように、自動車用ガーニッシュ12と一体若しくは固着されるベース部50を有するものである。本実施の形態では、ベース部50を自動車用ガーニッシュ12と別体に形成し、自動車用ガーニッシュ12に熱溶着している。
【００３２】
なお、ベース部50を、自動車用ガーニッシュ12と別体に形成したが、一体的に形成するようにしても良い。また、台座20を熱溶着したが、これに限定されず、接着したり、或いはネジ止めしても良い。
台座20は、適度な弾性と剛性とを有し、例えばＰＰ（ポリプロピレン）等の熱可塑性合成樹脂により一体的に成形される。
【００３３】
台座20は、図４〜９に示すように、大別すると、次の各部を備える。
なお、次の（１）及び（２）については、後述する。
（１）ベース部50
（２）台座本体60
なお、台座20の各部は、上記した（１）及び（２）に限定されず、例えば台座本体60を自動車用ガーニッシュ12に一体的に形成しても良い。
（取付部材30）
取付部材30は、図１及び図１５〜２６に示すように、複数の方向、例えば図１のＡ〜Ｄの四方から台座20に対し嵌合可能であり、当該嵌合する方向を変更することにより、軸部80の軸方向の異なる複数の高さ位置、例えば４段階の高さ位置に係止可能なものである。
【００３４】
なお、取付部材30を嵌合する方向として、四方を例示したが、これに限定されず、四方のうち、２方向や３方向、或いは５方向以上としても良い。また、取付部材30の高さの調節位置として、４段階を例示したが、これに限定されず、２段階、３段階、或いは５段階以上としても良い。
取付部材30は、台座20と同様に、適度な弾性と剛性とを有し、例えばＰＰ（ポリプロピレン）等の熱可塑性合成樹脂により一体的に成形される。
【００３５】
取付部材30は、図１０〜１４に示すように、大別すると、次の各部を備える。
なお、次の（１）〜（３）については、後述する。
（１）固定部70
（２）軸部80
（３）係止部90
なお、取付部材30のの各部は、上記した（１）〜（３）に限定されない。
（ファスナー40）
ファスナー40は、図２及び図３に示すように、自動車パネル11と取付部材30の後述する固定部70との間に位置し、両者を連結するものである。
【００３６】
ファスナー40は、適度な弾性と剛性とを有し、熱可塑性合成樹脂により一体的に成形される。
ファスナー40は、図２及び図３に示すように、大別すると、次の各部を備える。
なお、ファスナー40の各部は、次の（１）〜（３）に限定されない。
（１）フランジ部41
フランジ部41は、図２及び図３に示すように、ファスナー40の高さの途中に位置し、円盤形に張り出している。フランジ部41の直径は、自動車パネル11の貫通孔の内径より大きく設定されている。
【００３７】
（２）ボス部42
ボス部42は、図２及び図３に示すように、フランジ部41の上面から上方に向かって延び、取付部材30の後述する固定部70の溝状の装着部71にはまり込むことで、取付部材30に対して固定されている。
（３）脚部43
脚部43は、図２及び図３に示すように、フランジ部41をはさんでボス部42と反対側に位置し、フランジ部41の下面から下方に向かって延び、自動車パネル11の貫通孔に挿入されることで、自動車パネル11に対して固定される。脚部43は、高さの中央が膨らみ、先端部が細くなった形状に形成され、中央の膨らんだ部分の外径を、自動車パネル11の貫通孔より少し大きく設定している。
【００３８】
このため、脚部43を自動車パネル11の貫通孔に合わせて挿入すると、貫通孔の内縁部に押され、中央の膨らんだ部分の外径が弾性的に縮径し、貫通孔を通過後、自動車パネル11の下側で、樹脂の弾性力により復元する。このため、中央の膨らんだ部分と、フランジ部41との間で、自動車パネル11をその厚み方向にはさみ持つことで、貫通孔に対してファスナー40が固定される。
（ベース部50）
ベース部50は、図１及び図２に示すように、自動車用ガーニッシュ12と一体若しくは固着されるものである。
【００３９】
本実施の形態においては、ベース部50は、図４〜６に示すように、板状に形成され、その底面を自動車用ガーニッシュ12の表面に熱溶着している。
なお、ベース部50を、自動車用ガーニッシュ12と別体に形成したが、一体的に形成するようにしても良い。
ベース部50は、図４及び図５に示すように、次の各部を備える。
【００４０】
なお、ベース部50の各部は、次の（１）に限定されない。
（１）リブ51
リブ51は、図４及び図５に示すように、ベース部50の底面から複数個、突出する。リブ51は、加熱することで、自動車用ガーニッシュ12に溶着する。
（台座本体60）
台座本体60は、図４〜９に示すように、ベース部50の上面から枠状に延びる。
【００４１】
台座本体60は、図４〜９に示すように、次の各部を備える。
なお、台座本体60の各部は、次の（１）〜（６）に限定されない。
（１）左側壁61、右側壁62
左側壁61、右側壁62は、図４に示すように、ベース部50の左右方向に離れて位置し、ベース部50の上面から上方に向かって延びる。
【００４２】
（２）奥壁63
奥壁63は、図９に示すように、ベース部50の前後の幅方向の一端部に位置し、左側壁61及び右側壁62に隣接し、後述する中空部65の後面を塞ぐものである。
（３）蓋壁64
蓋壁64は、図４に示すように、ベース部50の上面から上方に離れて位置し、左側壁61、右側壁62及び奥壁63に隣接し、後述する中空部65の上面を塞ぐものである。
【００４３】
（４）中空部65
中空部65は、図４に示すように、ベース部50の上面、左側壁61、右側壁62、奥壁63及び蓋壁64で囲まれた内側に位置し、前面が開放する。
中空部65は、取付部材30の後述する係止部90がはまり込むものであり、中空部65の高さを係止部90の高さより高く設定している。中空部65を係止部90を高く設定しているのは、中空部65の高さ方向において、係止部90を上下動できるようにするためである。
【００４４】
（４）嵌合溝66、開口67
嵌合溝66は、図４に示すように、蓋壁64を上下方向に貫通し、一端に開口67を有し、略Ｕ字形に形成されている。嵌合溝66の溝幅は、取付部材30の後述する軸部80の直径に略一致させている。
（５）張出部68
張出部68は、図４及び図６に示すように、嵌合溝66と開口67との間に位置し、開口67の開口幅を、取付部材30の後述する軸部80の直径より小さく狭めるものである。
【００４５】
（６）突起69
突起69は、嵌合溝66の周囲に複数個、例えば４個形成され、蓋壁64の上面から半球形に突出する。突起69は、取付部材30の後述する軸部80を嵌合溝66にはめ込む際に、同じく後述する固定部70と蓋壁64の上面とが接した際に、両者の間の摩擦抵抗を低減するためのものである。
（固定部70）
固定部70は、図１〜３に示すように、装着部71を介して自動車パネル11に固定されるものである。
【００４６】
固定部70は、図１０〜１２及び図１４に示すように、前面が開放した中空の箱形に形成されている。
固定部70は、図１０〜１２及び図１４に示すように、次の各部を備える。
なお、固定部70の各部は、次の（１）及び（２）に限定されない。
（１）装着部71
装着部71は、図２に示すように、ファスナー40を装着するものである。装着部71は、図１０〜１２及び図１４に示すように、上下方向に貫通し、一端に開口し、略Ｕ字形の溝状に形成されている。装着部71には、ファスナー40のボス部42がはめ込まれ、ボス部42を介してファスナー40が固定部70に固定される。
【００４７】
（２）突起72
突起72は、図１０〜１２及び図１４に示すように、溝状の装着部71の周囲に複数個、例えば４個形成され、固定部70の上面から半球形に突出する。突起72は、ファスナー40のボス部42を溝状の装着部71にはめ込んだ際に、ボス部42と摺接する。
（軸部80）
軸部80は、図２、図３、図１１及び図１４に示すように、固定部70から軸状に延び、台座20に嵌合するものである。
【００４８】
軸部80は、図１１及び図１４に示すように、固定部70の下面の中央から下方に向かって円柱状に延び、その下端部が後述する係止部90の上面の中央に連設する。
（係止部90）
係止部90は、図１及び図１０〜１４に示すように、軸部80をはさんで固定部70と反対側に位置し、複数の方向、例えば図１のＡ〜Ｄの四方から台座20に対し嵌合可能であり、当該嵌合する方向を変更することにより、軸部80の軸方向の異なる複数の高さ位置、例えば４段階の高さ位置に係止可能なものである。
【００４９】
なお、係止部90を嵌合する方向として、四方を例示したが、これに限定されず、四方のうち、２方向や３方向、或いは５方向以上としても良い。また、係止部90の高さの調節位置として、４段階を例示したが、これに限定されず、２段階、３段階、或いは５段階以上としても良い。
係止部90は、図１０〜１４に示すように、下面及び後面が開放した中空の箱形に形成されている。
【００５０】
係止部90は、図１０〜１４に示すように、次の各部を備える。
なお、係止部90の各部は、次の（１）〜（３）に限定されない。
（１）上壁91
上壁91は、図１１及び図１４に示すように、軸部80の下端部に連設する。
（２）前壁92
前壁92は、図１０〜１４に示すように、上壁91の前縁部から下方に向かって延びる。
【００５１】
（３）左側壁93、右側壁94
左側壁93、右側壁94は、図１０〜１４に示すように、上壁91の左右の両側縁部から下方に向かって延び、前壁92に隣接している。
（台座本体60と係止部90との間の高さ調節機構）
台座本体60と係止部90との間には、図１に示すように、軸部80の軸方向の高さを調節するための高さ調節機構を設けている。
【００５２】
高さ調節機構は、図１に示すように、大別すると、次の各部を備える。
なお、次の（１）及び（２）については、後述する。
（１）凸部100
（２）凹部120
なお、高さ調節機構は、上記した（１）及び（２）の構造に限定されない。
（凸部100）
凸部100は、図１に示すように、後述する凹部120にはまり込むのであり、台座本体60と係止部90とのどちらか一方、例えば係止部90に形成されている。
【００５３】
なお、凸部100を係止部90に形成したが、逆に台座本体60側に形成しても良い。
凸部100は、図１０〜１４に示すように、複数個、例えば計４個の、後述する片101〜104から構成され、４個の片101〜104は、異なる複数の方向に向かって突出するとともに、軸部80の軸方向の高さを互いに異ならせている。
なお、凸部100を、４個の片101〜104から構成したが、２個、３個或いは５個以上の片から構成しても良い。
【００５４】
凸部100は、図１０〜１４に示すように、舌片状に突出し、横方向に長い板状に形成されている。
凸部100は、図１０〜１４に示すように、次の各片101〜104から構成されている。
なお、凸部100の各片101〜104は、次の（１）〜（４）に限定されない。
（１）前片101
前片101は、図１０〜１４に示すように、前壁92から外向きに突出する。前片101は、前壁92の左右の長さ方向の中央で、且つ高さの中央に位置する。
【００５５】
（２）後片102
後片102は、図１２〜１４に示すように、上壁91の後縁部から外向きに突出する。後片102は、上壁91の左右の長さ方向の中央に位置し、前片101と比較して上側、すなわち上段に位置する。
（３）左片103
左片103は、図１０〜１３に示すように、左側壁93から外向きに突出する。左片103は、左側壁93の後側に位置し、前片101と同様に上段に位置する。
【００５６】
（４）右片104
右片104は、図１０〜１３に示すように、右側壁94から外向きに突出する。右片104は、右側壁94の前側に位置し、前片101と比較して下側、すなわち下段に位置する。
（凹部120）
凹部120は、図１に示すように、凸部100にはまり合うものであり、台座本体60と係止部90とのどちらか他方、例えば台座本体60に形成されている。
【００５７】
なお、凹部120を台座本体60に形成したが、逆に係止部90側に形成しても良い。
凹部120は、図８及び図９に示すように、大別すると、次の各部から構成されている。
なお、次の（１）及び（２）については、後述する。
（１）穴部130
（２）溝部140
なお、凹部120の各部は、上記した（１）及び（２）に限定されず、いずれか一方のみから凹部120を構成しても良い。
（穴部130）
穴部130は、図８及び図９に示すように、台座本体60の奥壁63に貫通状に形成され、係止部90の各片101〜104がはまり込むものである。
【００５８】
穴部130は、図８及び図９に示すように、大別すると、次の各穴131〜136から構成されている。
なお、穴部130の穴131〜136は、次の（１）〜（６）に限定されず、又、個数も６個に限定されない。
（１）中上穴131
中上穴131は、図８及び図９に示すように、台座本体60の奥壁63の左右の長さ方向の中央で、且つ高さの方向の上側に位置する。
【００５９】
（２）中下穴132
中下穴132は、図８及び図９に示すように、中上穴131の下側に位置する。
（３）左上穴133
左上穴133は、図８に示すように、中上穴131の左側に位置し、当該中上穴131より上方に位置する。
【００６０】
（４）左下穴134
左下穴134は、図８に示すように、左上穴133の下側に位置し、中上穴131と中下穴132との中間に位置する。
（５）右上穴135
右上穴135は、図８に示すように、中上穴131の右側に位置し、左上穴133と同じ高さに位置する。
【００６１】
（６）右下穴136
右下穴136は、図８に示すように、右上穴135の下側に位置し、左下穴134と同じ高さに位置する。
（溝部140）
溝部140は、図８及び図９に示すように、左側壁93と右側壁94の相対向する内側面にそれぞれ形成され、左側壁93及び右側壁94の前後方向に長く形成されている。
【００６２】
溝部140は、図８及び図９に示すように、大別すると、次の各溝141〜146から構成されている。
なお、穴部130の溝141〜146は、次の（１）〜（６）に限定されず、又、個数も６個に限定されない。
（１）左上溝141
左上溝141は、図８及び図９に示すように、左側壁93の上方に位置する。
【００６３】
（２）左中溝142
左中溝142は、図８及び図９に示すように、左上溝141の下側に位置する。
（３）左下溝143
左下溝143は、図８及び図９に示すように、左中溝142の下側に位置する。
（４）右上溝144
右上溝144は、図８に示すように、右側壁94の上方に位置し、左上溝141と同じ高さに位置する。
【００６４】
（５）右中溝145
右中溝145は、図８に示すように、右上溝144の下側に位置し、左中溝142と左下溝143との間に位置する。
（６）右下溝146
右下溝146は、図８に示すように、右中溝145の下側に位置し、左下溝143より少し高い位置に位置する。
（ブラケット10の取付方法）
上記した構成を有するブラケット10の取付方法について説明する。
【００６５】
台座20は、図２に示すように、そのベース部50の底面を、自動車用ガーニッシュ12の表面に熱溶着する。
ファスナー40は、図２及び図３に示すように、そのボス部42を取付部材30の固定部70の装着部71にはめ込み、ファスナー40を取付部材30に固定する。
その後、取付部材30の軸部80を、図１〜３に示すように、台座20の開口67に合わせてはめ込み、嵌合溝66内に位置させる。このとき、取付部材30の係止部90を、台座20の中空部65の開放面から内部にはめ込む。
【００６６】
取付部材30を台座20に組み付けることで、ブラケット10を介して自動車用ガーニッシュ12にファスナー40が固定される。
最後に、ファスナー40の脚部43を、図２に示すように、自動車パネル11の貫通孔に挿入する。
これにより、自動車用ガーニッシュ12は、ファスナー40ブラケット10を介して、自動車パネル11に固定される。
【００６７】
なお、ファスナー40を、取付部材30に取り付けてから、当該取付部材30を台座20にはめ込み、最後にファスナー40を自動車パネル11に固定したが、この取付手順に限定されず、ファスナー40を取り付けることなしに、取付部材30を台座20にはめ込み、その後、ファスナー40を取り付けても良いし、或いはファスナー40を自動車パネル11に固定した後、取付部材30に取り付け、当該取付部材30を最後に台座20にはめ込んでも良いし、又、取付部材30を台座20にはめ込んだ後、当該取付部材30に最後にファスナー40を取り付けても良い。
（係止部90の組み付け方向）
つぎに、係止部90の組み付け方向Ａ〜Ｄと、台座20のベース部50の底面から取付部材30の固定部70の上面迄の高さａ〜ｄとの関係について、図１及び図１５〜２６を用いて説明する。
（図１のＡ方向）
係止部90を、図１のＡ方向から組み付けた場合には、図１６に示すベース部50から固定部70迄の高さａが最も低くなる。
【００６８】
このとき、係止部90の右片104は、図１６に示すように、台座20の左側壁61の左下溝143にはまり込む。係止部90の左片103は、台座20の右側壁62の右中溝145にはまり込む。係止部90の前片101は、図１７に示すように、台座20の中下穴132にはまり込む。
（図１のＢ方向）
係止部90を、図１のＢ方向から組み付けた場合には、図１９に示すベース部50から固定部70迄の高さｂが二番目に低くなる。
【００６９】
このとき、係止部90の左片103は、図１９に示すように、台座20の左側壁61の左中溝142にはまり込む。係止部90の右片104は、台座20の右側壁62の右下溝146にはまり込む。係止部90の後片102は、図２０に示すように、台座20の中上穴131にはまり込む。
（図１のＣ方向）
係止部90を、図１のＣ方向から組み付けた場合には、図２２に示すベース部50から固定部70迄の高さｃが三番目に低くなる。
【００７０】
このとき、係止部90の後片102は、図２２に示すように、台座20の左側壁61の左上溝141にはまり込む。係止部90の前片101は、台座20の右側壁62の右中溝145にはまり込む。係止部90の右片104は、図２３に示すように、台座20の右下穴136にはまり込む。
（図１のＤ方向）
係止部90を、図１のＤ方向から組み付けた場合には、図２５に示すベース部50から固定部70迄の高さｃが最も高くなる。
【００７１】
このとき、係止部90の前片101は、図２５に示すように、台座20の左側壁61の左中溝142にはまり込む。係止部90の後片102は、台座20の右側壁62の右上溝144にはまり込む。係止部90の左片103は、図２３に示すように、台座20の右上穴135にはまり込む。
【符号の説明】
【００７２】
10  ブラケット
11  自動車パネル        12  自動車用ガーニッシュ
20  台座                30  取付部材
40  ファスナー          41  フランジ部
42  ボス部              43  脚部
50  ベース部            51  リブ
60  台座本体            61  左側壁
62  右側壁              63  奥壁
64  蓋壁                65  中空部
66  嵌合溝              67  開口
68  張出部              69  突起
70  固定部
71  装着部              72  突起
80  軸部                90  係止部
91  上壁                92  前壁
93  左側壁              94  右側壁
100  凸部
101  前片               102  後片
103  左片               104  右片
120  凹部               130  穴部
131  中上穴             132  中下穴
133  左上穴             134  左下穴
135  右上穴             136  右下穴
140  溝部
141  左上溝             142  左中溝
143  左下溝             144  右上溝
145  右中溝             146  右下溝
【図１】
2012127394.tif 000003
【図２】
2012127394.tif 000004
【図３】
2012127394.tif 000005
【図４】
2012127394.tif 000006
【図５】
2012127394.tif 000007
【図６】
2012127394.tif 000008
【図７】
2012127394.tif 000009
【図８】
2012127394.tif 000010
【図９】
2012127394.tif 000011
【図１０】
2012127394.tif 000012
【図１１】
2012127394.tif 000013
【図１２】
2012127394.tif 000014
【図１３】
2012127394.tif 000015
【図１４】
2012127394.tif 000016
【図１５】
2012127394.tif 000017
【図１６】
2012127394.tif 000018
【図１７】
2012127394.tif 000019
【図１８】
2012127394.tif 000020
【図１９】
2012127394.tif 000021
【図２０】
2012127394.tif 000022
【図２１】
2012127394.tif 000023
【図２２】
2012127394.tif 000024
【図２３】
2012127394.tif 000025
【図２４】
2012127394.tif 000026
【図２５】
2012127394.tif 000027
【図２６】
2012127394.tif 000028